(57)【要約】【課題】第１のケースの材料が限定されることなく、且つ種々の異なる外径を有した電線に対しても安定して取り付けることができること。【解決手段】分割型変流器１は、第１・第２磁心２１，２２からなる磁心２と磁心２に巻装される２次コイル４と第１・第２のケース６，７と支持手段と電線受部８と電線押え部５，５とを備える。ケース６，７は端面２１ａ，２２ａを露出させ磁心２を収納する。支持手段たる軸部９と軸受部１０は端面２１ａ，２２ａが当接・離間する位置の間でケース６，７を回動自在に支持する。電線受部８はケース６，７が当接位置へ回動して一体化することで内形が略筒状に形成されてなる。電線押え部５，５は電線受部８内の電線１６周面を電線受部８の内底面８ａと回動方向に狭持する。第１のケース６は電線１６周面と対向する一端面に開口する凹所６２，６２が設けられ、電線押え部５，５は凹所６２，６２内に着脱自在に取り付けられる。【選択図】図１
2010267737.tif 000002
【特許請求の範囲】
【請求項１】
略コ字形状または略Ｕ字形状に形成される一対の磁心の互いの端面同士を当接させるこ
とで電線を周方向に囲む閉磁路が形成される分割型変流器であって、
前記磁心の何れか一方に巻装される２次コイルと、絶縁性材料により箱状に形成されて
前記端面が外部に露出するように前記磁心を各々収納する第１及び第２のケースと、前記
磁心の前記端面同士が当接・離間する位置の間で前記第１及び第２のケースを回動自在に
支持する支持手段と、前記第１及び第２のケースが前記当接する位置へ回動して一体化す
ることで内形が略筒状に形成されてなる電線受部と、前記電線受部内に収納される前記電
線の周面を前記電線受部の内面とともに前記回動方向に狭持する電線押え部と、を備え、
前記第１のケースは、前記電線の前記周面と対向する一端面に開口する凹所が設けられ
、前記電線押え部は、前記凹所内に着脱自在に取り付けられることを特徴とする分割型変
流器。
【請求項２】
前記電線押え部は、弾性材料によって形成される細長矩形板が波状に屈曲されてなり、
前記凹所の互いに対向する一対の内周面には、前記電線押え部の長手方向両端部が嵌合す
るための溝部が形成され、前記内周面間の距離は、前記電線押え部の長手方向の寸法より
も短く設定していることを特徴とする請求項１記載の分割型変流器。
【請求項３】
前記第１のケースの前記凹所は、前記一端面の前記電線の軸心方向の両端部に各々配設
されることを特徴とする請求項１または２記載の分割型変流器。
【発明の詳細な説明】
【技術分野】
【０００１】
本発明は、分電盤等に設置されて電線に流れる電流を検出する分割型変流器に関するも
のである。
【背景技術】
【０００２】
従来より、電線に流れる電流を検出するための変流器が提供されている。変流器は、例
えば、環状に形成される磁心と磁心に巻回される２次コイルとを備える。磁心の環状中心
部に電線を挿通させることで、磁路が電路を周方向に囲むように配置される。電路の周方
向に発生する磁束が磁心によって結束されて、２次コイルと鎖交する磁束の変化より２次
コイルに電流が誘起される。尚、２次コイルの両端部は、例えば、検出された電流から２
次コイルの巻数や磁心の断面積等を基に実際に電線に流れる電流へと換算するための電流
計器とリード線を通じて電気的に接続されている。
【０００３】
そして、変流器及び上述の電流計器は、例えば、分電盤に設置されて幹線から分岐され
各種負荷に供給される分岐系統毎の電力量を測定するのに用いられる。しかし、変流器を
既設の分電盤に対して設置する場合、電線を磁心の環状中心部に挿通させる作業は容易で
はなかった。これに対して、略コ字形状または略Ｕ字形状に形成される一対の磁心を備え
た分割型変流器が種々提供されている。
【０００４】
この種の分割型変流器の一例として非特許文献１に記載されるものがあり、その分割型
変流器９０を図９に示す。分割型変流器９０は、略コ字形状の一対の第１及び第２磁心（
図示せず）を備え、その互いの端面同士を当接させることで電線９１を周方向に囲む閉磁
路が形成される。また、分割型変流器９０は、磁心の何れか一方に巻装される２次コイル
（図示せず）と、第１及び第２のケース９２，９３と、支持手段たる薄肉成形部９５と、
電線受部９６と、一対の電線押え部９７，９７とを備える。
【０００５】
第１及び第２のケース９２，９３は、絶縁性材料により矩形箱状に形成されて、磁心の
端面が外部に露出するように第１及び第２磁心を各々収納する。但し、第１のケース９２
は、一端面（図９中の下端面）が開口し、その開口内に第１磁心が嵌入される。薄肉成形
部９５は、薄肉状に形成されて第２のケース９３の右壁部上方と第１のケース９２の右壁
部下方とを連結し、磁心の端面同士が当接・離間する位置の間で第１及び第２のケース９
２，９３を回動自在に支持する。第１のケース９２の下端部と第２のケース９３の上端部
とには、略半円筒形状に切り欠かれてなる第１の受部９６ｂと第２の受部９６ｃとが各々
形成される。そして、電線受部９６は第１及び第２のケース９２，９３が前記当接する位
置へ回動して一体化することで第１及び第２の受部９６ｂ，９６ｃの互いの開口周縁同士
がつき合わさってなり、その内形は略円筒形状に形成される。
【０００６】
一対の電線押え部９７，９７は、細長矩形板が略Ｗ字形状に屈曲されてなり、図９の正
面を前面としたとき第１のケース９２の開口内の前後方向両端部に各々配置される。そし
て、電線押え部９７，９７の長手方向両端部は、第１のケース９２開口内の左右方向に互
いに対向する内周面９２ａ，９２ａに各々一体に形成される。尚、図９では前端部の電線
押え部９７のみが図示されている。また、第１のケース９２の左壁部の外周面下方には、
左方向から見てコ字形状に形成され下方向へ突出してなる係止片９８が配設され、第２の
ケース９３の左壁部の外周面上方には係止片９８が係止するための係止段部（図示せず）
が突設される。
【０００７】
そして、分割型変流器９０は、次の様に電線９１に取り付けられる。先ず、薄肉成形部
９５を軸心に第１及び第２のケース９２，９３を前記離間する位置まで回動させる。次に
第１及び第２のケース９２，９３を前記当接する方向に回動させながら電線９１の周面を
覆うように電線受部９６内に収納する。このとき、電線９１の周面は電線押え部９７と電
線受部９６の内底面９６ａとによって前記回動方向に狭持されて、電線９１の電線受部９
６内での位置ズレが防止される。最後に係止片９８を係止段部へ係止させることで第１及
び第２のケース９２，９３の回動が規制されて分割型変流器９０が電線９１に取り付けら
れる。従って、分割型変流器９０は、既設の分電盤に対して設置する場合であっても電線
を磁心の環状中心部に容易に挿通させることができる。
【先行技術文献】
【非特許文献】
【０００８】
【非特許文献１】“分割式交流電流センサー（ＣＴＦシリーズ）／電流計測用”、［online］、マルチ計測器株式会社、［平成２１年４月１７日検索］、インターネット＜ＵＲＬ：http://www.multimic.com/sensor/ac1/index7.html＞
【発明の概要】
【発明が解決しようとする課題】
【０００９】
しかしながら、上述した分割型変流器９０は、電線押え部９７と第１のケース９２とが
一体に形成されているので、対応可能な電線径の範囲が狭いという問題があった。即ち、
電線押え部９７から電線受部９６の内底面９６ａまでの距離に比べて電線９１の外径が大
き過ぎたり小さ過ぎたりすると、安定して電線９１に取り付けることができなかった。ま
た、電線押え部９７と第１のケース９２とが一体に形成されるため、第１のケース９２を
電線押え部９７と同じ材料により形成しなくてはならず、第１のケース９２の材料が限定
されてしまう問題もあった。
【００１０】
本発明は上記事由に鑑みて為されたものであり、その目的は、第１のケースの材料が限
定されることなく、且つ種々の異なる外径を有した電線に対しても安定して取り付けるこ
とができる分割型変流器を提供することにある。
【課題を解決するための手段】
【００１１】
請求項１の発明は、上記目的を達成するために、略コ字形状または略Ｕ字形状に形成さ
れる一対の磁心の互いの端面同士を当接させることで電線を周方向に囲む閉磁路が形成さ
れる分割型変流器であって、前記磁心の何れか一方に巻装される２次コイルと、絶縁性材
料により箱状に形成されて前記端面が外部に露出するように前記磁心を各々収納する第１
及び第２のケースと、前記磁心の前記端面同士が当接・離間する位置の間で前記第１及び
第２のケースを回動自在に支持する支持手段と、前記第１及び第２のケースが前記当接す
る位置へ回動して一体化することで内形が略筒状に形成されてなる電線受部と、前記電線
受部内に収納される前記電線の周面を前記電線受部の内面とともに前記回動方向に狭持す
る電線押え部と、を備え、前記第１のケースは、前記電線の前記周面と対向する一端面に
開口する凹所が設けられ、前記電線押え部は、前記凹所内に着脱自在に取り付けられるこ
とを特徴とする。
【００１２】
この発明によれば、前記第１のケースは、前記電線の前記周面と対向する一端面に開口
する凹所が設けられ、前記電線押え部は、前記凹所内に着脱自在に取り付けられるので、
種々の形や大きさを有した前記電線押え部を予め用意しておき、その中から測定する電線
の外径に見合ったものを選択して取り付ければ、前記電線押え部から前記電線受部の前記
内面までの距離を調整することができる。また、前記電線押え部と前記第１のケースとが
別部材であるため、前記第１のケースを前記電線押え部と同じ材料（例えば、弾性材料）
で形成する必要がなくなる。従って、前記第１のケースの材料が限定されることなく、且
つ種々の異なる外径を有した電線に対しても安定して取り付けることができる。
【００１３】
請求項２の発明は、請求項１の発明において、前記電線押え部は、弾性材料によって形
成される細長矩形板が波状に屈曲されてなり、前記凹所の互いに対向する一対の内周面に
は、前記電線押え部の長手方向両端部が嵌合するための溝部が形成され、前記内周面間の
距離は、前記電線押え部の長手方向の寸法よりも短く設定していることを特徴とする。
【００１４】
この発明によれば、波状に屈曲されてなる前記電線押え部は、直線状の細長矩形板から
なる電線押え部よりも長手方向両端部の内側への押圧により容易に弾性変形させて長手方
向の寸法を短くすることができる。また、前記電線押え部を弾性変形させて長手方向の寸
法を前記内周面間の距離より短くしながら押圧して前記凹所に挿入すれば、前記電線押え
部の前記両端部が前記溝部に到達することで、前記電線押え部の弾性復帰力により前記長
手方向の寸法が元に戻るとともに前記両端部が前記溝部に嵌合するので、前記電線押え部
を容易に前記第１のケースへ取付けることができ、組立作業性に優れている。
【００１５】
請求項３の発明は、請求項１または２の発明において、前記第１のケースの前記凹所は
、前記一端面の前記電線の軸心方向の両端部に各々配設されることを特徴とする。
【００１６】
この発明によれば、前記第１のケースの前記凹所は、前記一端面の前記電線の軸心方向
の両端部に各々配設されるので、前記電線に対してより安定して取り付けることができる
。
【発明の効果】
【００１７】
本発明では、第１のケースの材料が限定されることなく、且つ種々の異なる外径を有し
た電線に対しても安定して取り付けることができるという効果がある。
【図面の簡単な説明】
【００１８】
【図１】本発明の実施形態の一部断面図である。
【図２】同上における正面断面図である。
【図３】同上における電線押え部の斜視図である。
【図４】同上における第１のケースの底面図である。
【図５】同上における上面図である。
【図６】同上における第１のケースの断面図である。
【図７】同上における一部断面図である。
【図８】同上における電線押え部の正面図を示し、（ａ）は図３と同様の電線押え部で、（ｂ）は（ａ）より厚幅の大きい電線押え部である。
【図９】非特許文献１に記載される従来の分割型変流器の正面図である。
【発明を実施するための形態】
【００１９】
以下、本発明の実施形態について、図１〜図８を参照して説明する。尚、以下の説明で
は、図１において上下左右方向を規定し、図１の正面を前面として説明を行う。また、図
１は、図５に図示される分割型変流器１を一点鎖線位置で切った一部断面図を示し、図２
は図５に図示される分割型変流器１を点線位置で切った断面図を示す。
【００２０】
本実施形態の分割型変流器１は、図１及び図２に示すように、磁心２と、コイルボビン
３と、２次コイル４と、一対の電線押え部５，５と、第１及び第２のケース６，７と、電
線受部８と、支持手段たる軸部９及び軸受部１０とを備える。
【００２１】
磁心２は、図２に示すように、各々磁性材料によって略コ字形状に形成された第１磁心
２１と、第２磁心２２とから構成される。
【００２２】
コイルボビン３は、図２に示すように、合成樹脂材料により形成されて、第２磁心２２
を上下方向から挟むように外装している。但し、第２磁心２２の端面２２ａ，２２ａはコ
イルボビン３に外装されることなく外部に露出されている。また、コイルボビン３の下方
左右両端部には、図２に示すように、各々略角筒形状に形成される角筒部３１，３１が下
方に向かって延設されている。角筒部３１には、上端部から下端部に亘って貫通する導出
孔３１ａが形成されている。
【００２３】
２次コイル４は、図２に示すように、例えば丸線導体がコイルボビン３を介して第２磁
心２２の底部２２ｂの周方向に巻装されてなる。尚、２次コイル４の両端部は各々リード
線１１，１１に接続されており、そのリード線１１，１１は先述の導出孔３１ａ，３１ａ
に各々挿通される。
【００２４】
電線押え部５，５は、図１〜図３に示すように、各々弾性材料によって形成される細長
矩形板が波状に屈曲されてなり、長手方向中心部には上方に窪んだ上受部５ａが配置され
る。また、その長手方向両端部には外側へ突出する差込片５ｂ，５ｂが設けられている。
【００２５】
第１のケース６は、図１及び図２に示すように、絶縁性材料により下端部が開口する矩
形箱状に形成される。また、その開口内には、図４に示すように、矩形板状に形成されて
なる２枚の内壁部６１，６１が前後方向（図４中の上下方向）に並設されており、この内
壁部６１，６１によって開口内の空間が３つに分離される。即ち、前方から後方に向かっ
て各々電線押え部５、第１磁心２１、電線押え部５を収納する凹所６２、磁心収納部６３
、凹所６２が順に配置される。そして、凹所６２の左右方向に互いに対向する内周面６２
ａ，６２ａには、図１、図５及び図６に示すように、電線押え部５の差込片５ｂ，５ｂが
嵌合するための細長矩形状に貫通した溝部６５，６５が各々形成される。但し、凹所６２
の内周面６２ａ，６２ａ間の距離は、電線押え部５の長手方向の寸法よりも短く設定して
いる。また、内壁部６１，６１の磁心収納部６３を介して互いに対向する面には、図２及
び図４に示すように、各々内側に向かって突出する一対の突部６６，６６が配設される。
【００２６】
第１のケース６の下端部には、図４に示すように、前壁部６ａ、内壁部６１，６１、及
び後壁部６ｂの各々の下端部が略半円形状に切り欠かれてなる第１の受部８ｂが形成され
る。第１のケース６の上壁部６ｃには、図２、図４及び図５に示すように、略Ｈ字形状に
貫通することで一対のバネ片６７，６７が形成されている。尚、バネ片６７，６７は、そ
の先端部をやや下方へ傾斜させて配設されている。第１のケース６の左壁部６ｄの外周面
下方には、左方向から見てコ字形状に形成され下方向へ突出してなる係止片１２が設けら
れている。尚、係止片１２右面の下端部には、曲折によって外側に向かってやや傾斜する
傾斜面１２ａが形成されている。
【００２７】
第１のケース６の右壁部６ｅの外周面下方には、図１、図２、及び図４〜図６に示すよ
うに、後述の第２のケース７の軸部９を枢支する軸受部１０が設けられている。軸受部１
０は、一対の第１の軸受片１０ａ，１０ａと、その２つの間に介在する第２の軸受片１０
ｂとから構成され、これらは前記外周面と一体となって前後方向に並設されている。３つ
の軸受片１０ａ，１０ａ，１０ｂは各々が前記外周面下方から下方向へ突出し、その先端
部は円弧状に形成されてなる。但し、前記円弧部分の開口する向きは、第１の軸受片１０
ａと第２の軸受片１０ｂとで異なる。即ち、第１の軸受片１０ａ，１０ａは前記開口を略
上方へ向け、第２の軸受片１０ｂは前記開口を略下方へ向けている。そして、第１の軸受
片１０ａ，１０ａは、軸部９の外周部に対して各々下方向から当接し、第２の軸受片１０
ｂは前記外周部に対して上方向から当接している。
【００２８】
上述の様な第１磁心２１の第１のケース６への組立て手順について説明する。先ず、端
面２１ａ，２１ａを下方に向けながら第１磁心２１を第１のケース６の磁心収納部６３へ
押圧して挿入する。このとき、第１磁心２１は、４個の突部６６を介して内壁部６１，６
１を外側へ弾性変形させながら挿入される。第１磁心２１底面が突部６６より上方へ達す
ると、突部６６は内壁部６１，６１の弾性復帰力により元の内側へ戻って第１磁心２１底
面に係止するので、第１磁心２１の下方への脱落が防止される。また、上壁部６ｃの一対
のバネ片６７，６７先端部が第１磁心２１上面を下方向へ押圧するので、第１磁心２１は
、上方への移動も規制されてより確実に位置決めされた状態で磁心収納部６３内に収納さ
れる。
【００２９】
次に、電線押え部５の第１のケース６への組立て手順について説明する。先ず、上受部
５ａの窪みを下方へ向けながら電線押え部５の長手方向両端部を内側へ押圧する。このと
き、電線押え部５は波状に屈曲されてなるので、直線状の細長矩形板からなる電線押え部
よりも容易に弾性変形させて長手方向の寸法を短くすることができる。そして、電線押え
部５の長手方向の寸法を凹所６２の内周面６２ａ，６２ａ間の距離より短くしながら、電
線押え部５を押圧して凹所６２内に挿入する（図６中の矢印参照）。すると電線押え部５
両端部の差込片５ｂ，５ｂが第１のケース６の溝部６５，６５に到達することで、電線押
え部５の弾性復帰力により長手方向の寸法が元に戻るとともに差込片５ｂ，５ｂが溝部６
５，６５に嵌合して、電線押え部５を第１のケース６に取付けることができる。
【００３０】
一方、電線押え部５を再び弾性変形させて長手方向の寸法を短くしながら下方へ引張る
ことで差込片５ｂ，５ｂが溝部６５，６５より脱離されて、電線押え部５を第１のケース
６から取外すことができる。この様に電線押え部５は弾性変形させながら押圧して挿入す
るだけで容易に凹所６２内に着脱自在に取り付けることができるので組立作業性に優れて
いる。
【００３１】
第２のケース７は、図１及び図２に示すように、絶縁性材料により下端部が開口する矩
形箱状に形成された胴部７１と、胴部７１の開口を塞ぐように取り付けられる矩形板状に
形成された底部７２とから構成される。
【００３２】
胴部７１上壁部の前後端部には、図１及び図５に示すように、各々左右方向中心部から
外側へ突出する電線受突部７１ａ，７１ａが設けられている。更に、前記上壁部上面には
、一方の電線受突部７１ａから他方の電線受突部７１ａまで亘って円弧状に下方へ窪んで
なる第２の受部８ｃが形成される。胴部７１上壁部の左右端部には、図２に示すように、
第２の受部８ｃによって隔てられるようにして第２磁心２２の端面２２ａ，２２ａと略同
形に貫通する一対の挿通部７１ｂ，７１ｂが設けられている。また、胴部７１下端部の開
口縁左右端部には、内側へ突出する一対の係止爪７１ｃ，７１ｃが各々配設されている。
【００３３】
そして、胴部７１左壁部の外周面上方には、図１及び図２に示すように、扁平な矩形板
が外側へ突出してなる係止突部１３が第１のケース６の係止片１２と対向して配設される
。尚、係止突部１３の左面には、上端部から下端部に亘り外側に向かってやや傾斜する傾
斜面１３ａが形成されている。
【００３４】
胴部７１右壁部の外周面上方には、図１、図２及び図５に示すように、外側へ突出する
２つの軸支持部１４，１４を介して前記外周面と一体に形成された細長円筒形状の軸部９
がその長手方向を前後方向に向けて配設されている。
【００３５】
底部７２下面の左右端部には、図２に示すように、係止溝７２ａ，７２ａが各々内側へ
窪んで形成されている。また、底部７２下面の前方左右端部には、矩形状に貫通する挿通
穴７２ｂ，７２ｂが設けられている。
【００３６】
上述の様な２次コイル４が巻回される第２磁心２２及びコイルボビン３の第２のケース
７への組立て手順について説明する。先ず、端面２２ａ，２２ａと挿通部７１ｂ，７１ｂ
とを対向させながら、第２磁心２２及びコイルボビン３を胴部７１の開口する下端部から
押圧して挿入する。次に、リード線１１，１１を各々底部７２の挿通穴７２ｂ，７２ｂに
挿通させる。そして、コイルボビン３の角筒部３１，３１を挿通穴７２ｂ，７２ｂに嵌合
させつつ、胴部７１の係止爪７１ｃ，７１ｃを底部７２の係止溝７２ａ，７２ａに弾性係
止させることによって、胴部７１の開口部が塞がれるとともに胴部７１と底部７２とが固
定される。即ち、第２磁心２２、コイルボビン３、及び２次コイル４は、図１及び図２に
示すように、胴部７１の挿通部７１ｂ，７１ｂを通じて端面２２ａ，２２ａを外部に露出
させながら、第２のケース７内に収納される。
【００３７】
以下、上述のように構成される第１及び第２のケース６，７を結合して分割型変流器１
を組立てる手順について説明する。先ず、第１及び第２のケース６，７を手で保持しなが
ら軸受部１０の隙間１５から軸部９を圧入する。すると、軸部９は、第１の軸受片１０ａ
，１０ａ及び第２の軸受片１０ｂを各々外側へ向かって弾性変形させて、隙間１５を拡げ
ながら軸受部１０の前方から見たときの中心部に向かって挿入される。そして、第１の軸
受片１０ａ，１０ａ及び第２の軸受片１０ｂの弾性復帰力によって再び隙間１５が元の大
きさに狭まって、第１及び第２のケース６，７が結合する。
【００３８】
次に、分割型変流器１の電線１６への取付け方法について説明する。先ず、軸部９を軸
心として第１磁心２１の端面２１ａ，２１ａが第２磁心２２の端面２２ａ，２２ａから離
間する位置まで第１のケース６を時計回りに回動させる。次に、電線１６を第２のケース
７の第２の受部８ｃへ載置して、端面２１ａ，２１ａが端面２２ａ，２２ａに当接する位
置まで第１のケース６を反時計回りに回動させる。すると、係止片１２の傾斜面１２ａが
係止突部１３の傾斜面１３ａに当接して、係止片１２は、左方向へ弾性変形しながら係止
突部１３の左面を下方向へ摺動する。係止突部１３が係止片１２のコ字部分の中心部に到
達すると弾性復帰力により係止片１２が係止突部１３に係止して、第１のケース６の回動
が規制される。
【００３９】
このとき、第１磁心２１及び第２磁心２２は、図２に示すように、端面２１ａ，２１ａ
と端面２２ａ，２２ａ同士が当接することで環状の磁心２となり、電線１６を周方向に囲
む磁路が形成される。また、図１及び図２に示すように、第１及び第２の受部８ｂ，８ｃ
は、その互いの開口周縁同士がつき合わさることで内形が略円筒形状に形成された電線受
部８となって内部に電線１６を収納する。そして、電線押え部５，５は、電線受部８内に
収納される電線１６の周面を電線受部８の内底面８ａとともに前記回動方向に狭持する。
尚、電線１６から分割型変流器１を取外すには、係止片１２の傾斜面１２ａを指で左側へ
押圧しながら第１のケース６を時計回りに回動させればよい。
【００４０】
そして、本実施形態の分割型変流器１の作用について説明する。非特許文献１に記載の
分割型変流器９０は、従来技術で述べた通り、電線押え部９７と第１のケース９２とが一
体に形成されているので、第１のケース９２を電線押え部９７と同じ材料によって形成し
なくてはいけないという問題や、対応可能な電線径の範囲が狭いという問題があった。こ
れに対して本実施形態の分割型変流器１は、上述した通り、電線押え部５，５と第１のケ
ース６とが一体に形成されておらず、電線押え部５，５が第１のケース６の凹所６２，６
２内に着脱自在に取り付けられる。そのため、第１のケース６を電線押え部５，５と同じ
弾性材料で形成しなくてもよい。そして、例えば図７に示すように電線１６より十分に大
きい直径を有した電線１６´を測定する場合であっても、電線受部８の内底面８ａまでの
距離が電線押え部５，５よりも長い形状に形成された電線押え部５Ａ，５Ａを取り付ける
ことで、電線１６´への対応が可能となる。また、図８（ａ）及び（ｂ）に示すように、
電線押え部５，５より厚さ幅の大きい電線押え部５Ｂ，５Ｂへ取り換えることで電線１６
への狭持力を高めることも可能となる。この様に１種類だけでなく種々の形や大きさを有
した電線押え部５，５を予め用意しておき、その中から測定する電線１６の外径に見合っ
たものを選択して取り付ければ、電線押え部５，５から電線受部８の内底面８ａまでの距
離や電線１６への狭持力を調整することができる。従って、本実施形態の分割型変流器１
は、第１のケース６の材料が限定されることなく、且つ種々の異なる外径を有した電線に
対しても安定して取り付けることができる。
【００４１】
また、電線押え部５，５は着脱自在であるから、例えば、測定する電線１６の外径が電
線受部８の内径と略等しい程度の場合、電線押え部５，５を取り外して直接第１及び第２
の受部８ｂ，８ｃで電線１６の周面を狭持させることも可能である。
【符号の説明】
【００４２】
１  分割型変流器
２  磁心
４  ２次コイル
５  電線押え部
６  第１のケース
７  第２のケース
８  電線受部
８ａ  内底面（内面）
９  軸部（支持手段）
１０  軸受部（支持手段）
１６  電線
２１  第１磁心
２１ａ  端面
２２  第２磁心
２２ａ  端面
６２  凹所
６５  溝部
【図１】
2010267737.tif 000003
【図２】
2010267737.tif 000004
【図３】
2010267737.tif 000005
【図４】
2010267737.tif 000006
【図５】
2010267737.tif 000007
【図６】
2010267737.tif 000008
【図７】
2010267737.tif 000009
【図８】
2010267737.tif 000010
【図９】
2010267737.tif 000011